(57)【要約】【課題】本発明は、身障者や老人でも便器の蓋を容易に開閉することが出来るようにすることをを課題とする。【解決手段】相互蝶着されている前半部１２と後半部１３とからなる二つ折り可能な蓋１１の該前半部１２の上面の後縁付近および／または該後半部の上面の前縁付近に手掛けバンド１９を取付け、該手掛けバンド１９に前側から手Ｈの指Ｆを掛けて上後方に引上げて蓋１１を開く。この時手Ｈは掌側が引上げ方向になり、逆手にならない。【選択図】    図２
2004329358.tif 000002
【特許請求の範囲】
【請求項１】
前半部と、後半部とからなり、該前半部の後縁と該後半部の前縁とが相互蝶着され後半部の後縁が便器本体上面後端部に枢着され、該前半部の上面の後縁付近および／または該後半部の上面の前縁付近には手掛けバンドが取付けられていることを特徴とする便器の蓋。
【請求項２】
該前半部と後半部とは基盤と、該基盤上に載置されるクッション材と、該クッション材を被覆する表皮材とからなり、該手掛けバンドは該表皮材と同種材料とからなり、該手掛けバンドの両端部が該前半部の上面の後縁付近および／または該後半部の上面の前縁付近に縫着または接着されている請求項１に記載の便器の蓋。
【請求項３】
該前半部と後半部とは硬質プラスチックを材料とし、該前半部の上面の後縁付近および／または該後半部の上面の前縁付近に凹部を設け、該凹部に該手掛けバンドが差渡されている請求項１に記載の便器の蓋。
【請求項４】
前半部と、後半部とからなり、該前半部と該後半部とはプラスチックを材料とし、該前半部の後縁と該後半部の前縁とが相互蝶着され、後半部の後縁が便器本体上面後端部に枢着され、該前半部の上面の後縁付近および／または該後半部の上面の前縁付近には前縁面および／または後縁面に手掛け凹部を凹陥させた凹部が形成されていることを特徴とする便器の蓋。
【請求項５】
前半部と、後半部とからなり、該前半部と該後半部とはプラスチックを材料とし、該前半部の後縁と該後半部の前縁とが相互蝶着され、後半部の後縁が便器本体上面後端部に枢着され、該前半部の上面の前部および該後半部の上面の前縁付近には前縁面に手掛け凹部を凹陥させた凹部が形成されていることを特徴とする便器の蓋。
【請求項６】
前半部と、後半部とからなり、該前半部と該後半部とはプラスチックを材料とし、該前半部の後縁と該後半部の前縁とが相互蝶着され、後半部の後縁が便器本体上面後端部に枢着され、該前半部の上面の後縁からは凹部が形成され、該後半部の上面前縁からは該前半部の凹部に臨出する手掛け凸部が差出されていることを特徴とする便器の蓋。
【発明の詳細な説明】
【０００１】
【発明の属する技術分野】
本発明は例えば身障者や老人が使用する携帯用便器の蓋に関するものである。
【０００２】
【従来の技術】
図１１に示すように、例えば携帯用便器の蓋（１１Ａ）  は蝶着部（１７Ａ）  において相互蝶着されている前半部（１２Ａ）  と後半部（１３Ａ）  とからなり、該後半部（１３Ａ）  は枢着部（１８Ａ）  によって便座（３Ａ）と共に便器（１Ａ）本体後端部に枢着されている。便器（１Ａ）使用時には二つ折りに畳んで便器（１Ａ）上面後端部に立ち上り状態とする構成のものが提供されている（例えば特許文献１参照）。このような構成の便器は、便器に腰を下ろした使用者の背中が蓋（１１Ａ）  の裏面に接触せず清潔に用を足すことが出来る。またこの種の便器には上面後端にコの字形の背もたれが取付けられているものも多い。この場合には上記折畳んだ蓋（１１Ａ）  は立ち上がり状態で斜め後方に傾斜して、背もたれの内側に入り込み、背もたれと干渉しないと云う利点がある。
【０００３】
従来この種の折畳み式蓋（１１Ａ）  は前半部（１２Ａ）  の上面後縁付近に前縁面に指掛け部（１５Ａ）  を凹陥させた凹部（１４Ａ）  が形成されており、図１２に示すように便器（１Ａ）を使用する時に手Ｈの指Ｆを該凹部（１４Ａ）  の指掛け部（１５Ａ）  に掛けて矢印イ方向へ引上げることにより該蓋（１１Ａ）  を折畳みつゝ開く。
【０００４】
更に従来、図１３に示すように蓋（１１Ａ）  の前縁部に手掛けバンド（１５Ｂ）  が取り付けられているものも提供されている。該蓋（１１Ａ）  は便器（１Ａ）を使用する時には該手掛けバンド（１５Ｂ）  に手Ｈの指Ｆを掛けて矢印イ方向へ引上げつゝ折畳む。
【０００５】
【特許文献１】
特開平８−１４０８９３号公報
【０００６】
【発明が解決しようとする課題】
図１１、図１２に示す従来例では、上記蓋（１１Ａ）  を折畳みつゝ開く場合の動作は、手の親指とその他の指とで指掛け部（１５Ａ）  を掴んで手の甲側に引上げつゝ手を返しながら親指で該指掛け部（１５Ａ）  を外側から押して蓋（１１Ａ）  を折畳むことになるので逆手になり、また指掛け部（１５Ａ）  から指が滑り易いので余分な力がかゝり、手指の不自由な人にとっては困難な動作になっている。
更に折畳んだ蓋（１１Ａ）  を開きつゝ閉じる場合には、該凹部（１４Ａ）  の指掛け部（１５Ａ）  に指Ｆを掛けて矢印ロ方向に引張るのであるが、該凹部（１４Ａ）  の指掛け部（１５Ａ）  の位置が蝶着部（１７Ａ）  近くにあるから引張る力が有効に作用せず、やはり手指の不自由な人にとっては労力がかゝり困難な動作となっている。
【０００７】
また図１３に示す従来例では手Ｈの指Ｆが手掛けバンド（１５Ｂ）  より滑ってはずれないようにしっかり掴むことが必要であるし、蓋（１１Ａ）  を折畳む時は片方の手のみでは困難で両手を使う必要がある。
【０００８】
【課題を解決するための手段】
本発明は上記従来の課題を解決するための手段として、前半部（１２）と、後半部（１３）とからなり、該前半部（１２）の後縁と該後半部（１３）の前縁とが相互蝶着され後半部（１３）の後縁が便器本体（１）  上面後端部に枢着され、該前半部（１２）の上面の後縁付近および／または該後半部（１３）の上面の前縁付近には手掛けバンド（１９）が取付けられている便器の蓋（１１）を提供するものである。
【０００９】
上記構成の具体例としては、該前半部（１２）と後半部（１３）とは基盤（１４）と、該基盤（１４）上に載置されるクッション材（１５）と、該クッション材（１５）を被覆する表皮材（１６）とからなり、該手掛けバンド（１９）は該表皮材（１６）と同種材料とからなり、該手掛けバンド（１９）の両端部が該前半部（１２）の上面の後縁付近および／または該後半部（１３）の上面の前縁付近に縫着または接着されている構成、あるいは該前半部（２２）と後半部（２３）とは硬質プラスチックを材料とし、該前半部（２２）の上面の後縁付近および／または該後半部（２３）の上面の前縁付近に凹部（３０）を設け、該凹部（３０）に該手掛けバンド（２９）が差渡されている構成である。
【００１０】
更に本発明では前半部（３２）と、後半部（３３）とからなり、該前半部（３２）と該後半部（３３）とはプラスチックを材料とし、該前半部（３２）の後縁と該後半部（３３）の前縁とが相互蝶着され、後半部（３３）の後縁が便器本体（１）  上面後端部に枢着され、該前半部（３２）の上面の後縁付近および／または該後半部（３３）の上面の前縁付近には前縁面および／または後縁面に手掛け凹部（３９）を凹陥させた凹部（４０）が形成されている便器の蓋（３１）、および前半部（４２）と、後半部（４３）とからなり、該前半部（４２）と該後半部（４３）とはプラスチックを材料とし、該前半部（４２）の後縁と該後半部（４３）の前縁とが相互蝶着され、後半部（４３）の後縁が便器本体（１）  上面後端部に枢着され、該前半部（４２）の上面の前部および該後半部（４３）の上面の前縁付近には前縁面に手掛け凹部（４９，５１）  を凹陥させた凹部（５０，５２）  が形成されている便器の蓋（４１）が提供される。
【００１１】
また更に前半部（６２）と、後半部（６３）とからなり、該前半部（６２）と該後半部（６３）とはプラスチックを材料とし、該前半部（６２）の後縁と該後半部（６３）の前縁とが相互蝶着され、後半部（６３）の後縁が便器本体（１）  上面後端部に枢着され、該前半部（６２）の上面の後縁からは凹部（６８）が形成され、該後半部（６３）の上面前縁からは該前半部（６２）の凹部（６８）に臨出する手掛け凸部（７０）が差出されている便器の蓋（６１）が提供される。
【００１２】
【作用】
〔請求項１，２，３〕
手掛けバンド（１９，２９）  は蓋（１１，２１）  を開く際、前側から該バンド（１９，２９）  に指を掛けて上方へ引き上げる。上記引上げ方向は掌側にあるから逆手にならない。該バンド（１９，２９）  は前半部（１２，２２）  の上面の後縁付近および／または後半部（１３，２３）  の上面の前縁付近、即ち前半部（１２，２２）  と後半部（１３，２３）  の蝶着部（１７，２７）  付近に取付けられているから、該バンド（１９，２９）  を引上げれば蓋（１１，２１）  は自然に折畳まれて立上り、便器本体（１）  の開口部（３）  が開かれる。
【００１３】
〔請求項４〕
手掛け凹部（３９）は凹部（４０）の前縁面および／または後縁面に凹陥しているので、前側から該手掛け凹部（３９）に指を掛けて上後方へ引き上げる。上記引上げ方向は掌側にあるから逆手にならない。該凹部（４０）は前半部（３２）の上面の後縁付近および／または後半部（３３）の上面の前縁付近、即ち前半部（３２）と後半部（３３）の蝶着部（３７）付近に設けられているから、該凹部（４０）の手掛け凹部（３９）を引上げれば蓋（３１）は自然に折畳まれて立上り、便器本体（１）  の開口部（３）  が開かれる。
【００１４】
〔請求項５〕
後半部（４３）の凹部（５２）の手掛け凹部（５１）に指を掛けて上後方へ引き上げる。上記引上げ方向は掌側にあるから逆手ならない。該凹部（５２）は後半部（４３）の上面の前縁付近に形成されているから、該手掛け凹部（５１）を引上げれば蓋（４１）は自然に折畳まれ開かれる。蓋（４１）を折畳んで開いた状態から前半部（４２）の凹部（５０）の手掛け凹部（４９）に指を掛けて前方へ引張れば、蓋（４１）は開きつゝ便器本体（１）  の開口部（３）  を閉鎖する。
【００１５】
〔請求項６〕
前半部（６２）の凹部（６８）に臨出している後半部（６３）の手掛け凸部（７０）に前側から親指を掛けて上後方へ押し上げる。該手掛け凸部（７０）は全指をかける必要がないから押上げる際に逆手にならない。また該手掛け凸部（７０）は後半部（６３）の上面の前縁から突出しているから、該手掛け凸部（７０）に親指を掛けて持上げる際蓋（６１）は自然に折畳まれる。
【００１６】
【発明の実施の形態】
〔第１実施例（図１，図２）〕
便器本体（１）  の四隅は脚部（２）  によって支持され、上面開口部（３）  からは便バケツ（４）  が懸架され、該本体（１）  上面には開口部（３）  を囲んで便座（５）  が載置され、該本体（１）  の上面両側にはアームレスト（６）  が取付けられ、後端には左右側枠（８，９）  と背もたれ部（１０）とからなるコの字形の背もたれ（７）  が取付けられている。
【００１７】
蓋（１１）は前半部（１２）と後半部（１３）とからなり、該前半部（１２）と該後半部（１３）とはそれぞれ硬質プラスチックからなる基盤（１４）と、該基盤（１４）上に載置される軟質プラスチック発泡体からなるクッション材（１５）と、該クッション材（１５）を被覆する合成皮革からなる表皮材（１６）とからなる。
該前半部（１２）の後縁と該後半部（１３）の前縁とは蝶着部（１７）によって蝶着され、かくして蓋（１１）は二つ折れ可能になっており、該蓋（１１）の後半部（１３）の後縁は該便座（５）  と共に枢着部（１８）によって便器本体（１）  上面後端部に枢着されている。
該蓋（１１）の前半部（１２）の上面後縁付近には表皮材（１６）と同質材料の手掛けバンド（１９）が横方向に取付けられている。該手掛けバンド（１９）は両端部を接着または縫着されている。
【００１８】
蓋（１１）を開く時には手Ｈの指Ｆを該バンド（１９）に前側から掛けて矢印イに示す上後方に引上げる。蓋（１１）は折畳み立上り状態になる。このようにして便器本体（１）  の開口部（３）  が開かれる。この場合指Ｆを該バンド（１９）に前側から掛けるので、掌側が引上げ方向になり逆手にならない。
折畳まれた蓋（１１）は背もたれ（７）  の左右側枠（８，９）  と背もたれ部（１０）とで形成されているコの字形状の内側を通過して若干斜め後方に傾斜して立上り状態になる。
【００１９】
本実施例以外、手掛けバンド（１９）は後半部（１３）の上面前縁付近に取付けられてもよい。
【００２０】
〔第２実施例（図３，図４）〕
本実施例の蓋（２１）の前半部（２２）と該後半部（２３）とはそれぞれ硬質プラスチックからなる。そして該前半部（２２）の後縁と該後半部（２３）の前縁とは蝶着部（２７）において蝶着されることによって二つ折り可能とされ、また後半部（２３）の後縁は該便座（５）  と共に枢着部（２８）によって便器本体（１）  上面後端部に枢着されている。
【００２１】
該蓋（２１）の前半部（２２）の上面後縁付近には凹部（３０）が設けられており、該凹部（３０）には横方向に手掛けバンド（２９）が差渡されている。該手掛けバンド（２９）の両端はタッカー、接着剤等によって該前半部（２２）上面に固定されている。
【００２２】
蓋（２１）を開く時には、図２に示すように手Ｈの指Ｆを該バンド（２９）に前側から掛けて矢印イに示す上後方に引上げる。蓋（２１）は折畳み立上り状態になる。このようにして便器本体（１）  の開口部（３）  が開かれる。この場合指Ｆを該バンド（２９）に前側から掛けるので、掌側が引上げ方向になり逆手にならない。
【００２３】
本実施例以外、後半部（２３）の上面前縁付近に凹部（３０）を設け該凹部（３０）に手掛けバンド（２９）を差渡してもよい。
【００２４】
〔第３実施例（図５，図６）〕
本実施例の蓋（３１）の前半部（３２）と該後半部（３３）とはそれぞれ硬質プラスチックからなる。そして該前半部（３２）の後縁と該後半部（３３）の前縁とは蝶着部（３７）において蝶着されることによって二つ折り可能とされ、また後半部（３３）の後縁は該便座（５）  と共に枢着部（３８）によって便器本体（１）  上面後端部に枢着されている。
【００２５】
該蓋（３１）の前半部（３２）の上面後縁付近には凹部（４０）が設けられており、該凹部（４０）の後縁面は凹陥して手掛け凹部（３９）が形成されている。
【００２６】
蓋（３１）を開く時には、図６に示すように手Ｈの指Ｆを該凹部（４０）の手掛け凹部（３９）に前側から掛けて矢印イに示す上後方に引上げる。蓋（３１）は折畳み立上り状態になる。このようにして便器本体（１）  の開口部（３）  が開かれる。この場合指Ｆを該手掛け凹部（３９）に前側から掛けるので、掌側が引上げ方向になり逆手にならない。
【００２７】
本実施例以外、後半部（３３）の上面前縁付近に凹部（４０）を設け該凹部（４０）に手掛け凹部（３９）を設けてもよい。この場合は手掛け凹部（３９）は凹部（４０）の前縁面に設けることが望ましい。
【００２８】
〔第４実施例（図７，図８）〕
本実施例の蓋（４１）の前半部（４２）と該後半部（４３）とはそれぞれ硬質プラスチックからなる。そして該前半部（４２）の後縁と該後半部（４３）の前縁とは蝶着部（４７）において蝶着されることによって二つ折り可能とされ、また後半部（４３）の後縁は該便座（５）  と共に枢着部（４８）によって便器本体（１）  上面後端部に枢着されている。
【００２９】
該蓋（４１）の前半部（４２）の上面前部には凹部（５０）が設けられ、該凹部（５０）の前縁面は凹陥して手掛け凹部（４９）が形成されている。更に該後半部（４３）の上面前縁付近には凹部（５２）が設けられ、該凹部（５２）の前縁面は凹陥して手掛け凹部（５１）が形成されている。
【００３０】
図８に示すように、該蓋（４１）の後半部（４３）の凹部（５２）の手掛け凹部（５１）に後側から手Ｈの指Ｆを掛けて矢印イに示す上後方に引上げることによって折畳み立上り状態になり、かくして便器本体（１）  の開口部（３）  が開かれる。該蓋（４１）を閉じる時には前半部（４２）の凹部（５０）の手掛け凹部（４９）に手Ｈの指Ｆを後側から掛けて矢印ロ方向に引く。該凹部（５０）は該前半部（４２）の前部にあるので、折畳み状態の蓋（４１）は容易に開き、便器本体（１）  の開口部（３）  を閉鎖する。
【００３１】
〔第５実施例（図９，図１０）〕
本実施例の蓋（６１）の前半部（６２）と該後半部（６３）とはそれぞれ硬質プラスチックからなる。そして該前半部（６２）の後縁と該後半部（３３）の前縁とは蝶着部（６７）において蝶着されることによって二つ折り可能とされ、また後半部（６３）の後縁は該便座（５）  と共に枢着部（６６）によって便器本体（１）  上面後端部に枢着されている。
【００３２】
該蓋（６１）の前半部（６２）の上面の後縁からは凹部（６８）が形成され、該凹部（６８）の前縁面には手掛け凹部（６９）が形成され、更に後半部（６３）の上面前縁からは該前半部（６２）の凹部（６８）に臨出する手掛け凸部（７０）が差出されている。
【００３３】
図１０に示すように該蓋（６１）を開く時には、前側から該蓋（６１）の後半部（６３）の手掛け凸部（７０）の下側に該前半部（６２）の凹部（６８）を介して親指ＳＦをかけ、矢印イ方向へ押上げる。該手掛け凸部（７０）には親指ＳＦのみをかけるので押上げる際に逆手にならない。そして該手掛け凸部（７０）は該後半部（６３）の前縁から差出されているので、テコの原理によって蓋（６１）は容易に自然に折畳まれる。また蓋（６１）を閉める時には、該前半部（６２）の手掛け凹部（６９）に手を掛けて手前に引張る。
【００３４】
【発明の効果】
本発明にあっては便器の蓋の開閉が非常に容易に出来るから、身障者や老人にとっても便器の使い勝手が良くなる。
【図面の簡単な説明】
図１および図２は本発明の第１実施例を示すものである。
【図１】便器斜視図
【図２】蓋を開く場合の説明図
図３および図４は本発明の第２実施例を示すものである。
【図３】蓋斜視図
【図４】蓋を開く場合の説明図
図５および図６は本発明の第３実施例を示すものである。
【図５】蓋斜視図
【図６】蓋を開く場合の説明図
図７および図８は本発明の第４実施例を示すものである。
【図７】蓋斜視図
【図８】蓋を開く場合の説明図
図９および図１０は本発明の第５実施例を示すものである。
【図９】蓋斜視図
【図１０】蓋を開く場合の説明図
図１１および図１２は従来例を示すものである。
【図１１】蓋斜視図
【図１２】蓋を開く場合の説明図
【図１３】他の従来例の説明図
【符号の説明】
１１，２１，３１，４１，６１      蓋
１２，２２，３２，４２，６２        前半部
１３，２３，３３，４３，６３        後半部
１７，２７，３７，４７，６７        蝶着部
１８，２８，３８，４８，６６        枢着部
１９，２９                    手掛けバンド
３０，４０，５０，５２，６８          凹部
３９，４９，５１，６９              手掛け凹部
７０                  手掛け凸部
【図１】
2004329358.tif 000003
【図２】
2004329358.tif 000004
【図３】
2004329358.tif 000005
【図４】
2004329358.tif 000006
【図５】
2004329358.tif 000007
【図６】
2004329358.tif 000008
【図７】
2004329358.tif 000009
【図８】
2004329358.tif 000010
【図９】
2004329358.tif 000011
【図１０】
2004329358.tif 000012
【図１１】
2004329358.tif 000013
【図１２】
2004329358.tif 000014
【図１３】
2004329358.tif 000015